(57)【要約】【課題】色覚正常者及び色覚異常者の双方が、異なる表示領域を区別して認識可能であって、セキュリティ性も有する識別媒体を提供する。【解決手段】第１の領域１と第２の領域２と第３の領域３とは、いずれも通常光下では無色又は同一色に観察され、励起光の照射により発光して観察される蛍光材料を含んでおり、第１の領域１と第２の領域２と第３の領域３とは、それぞれが異なる色で発光を行うように構成されており、さらに、第１の領域１と第２の領域２と第３の領域３とは、第１の領域１の発光色と第２の領域２の発光色とが、Ｐ型２色覚の色覚異常者及びＤ型２色覚の色覚異常者によって同色に観察され、かつ、Ｔ型２色覚の色覚異常者によって異色に観察され、かつ、第１の領域１の発光色と第３の領域３の発光色とが、Ｐ型２色覚の色覚異常者及びＤ型２色覚の色覚異常者によって異色に観察される。【選択図】図１
2019102829.tif 000002
【特許請求の範囲】
【請求項１】
Ｐ型２色覚の色覚異常者とＤ型２色覚の色覚異常者とＴ型２色覚の色覚異常者とのいずれの者であっても識別可能な識別媒体であって、
第１の領域と、
前記第１の領域とは別の第２の領域と、
前記第２の領域の外形の少なくとも一部に沿う領域、及び、前記第２の領域に重なる領域、の少なくとも一方を含む第３の領域と、
を有し、
前記第１の領域と前記第２の領域と前記第３の領域とは、いずれも通常光下では無色又は同一色に観察され、励起光の照射により発光して観察される蛍光材料を含んでおり、
前記第１の領域と前記第２の領域と前記第３の領域とは、それぞれが異なる色で発光を行うように構成されており、
さらに、前記第１の領域と前記第２の領域と前記第３の領域とは、
前記第１の領域の発光色と前記第２の領域の発光色とが、Ｐ型２色覚の色覚異常者及びＤ型２色覚の色覚異常者によって同色に観察され、かつ、Ｔ型２色覚の色覚異常者によって異色に観察されるように前記第１の領域及び前記第２の領域が構成されており、
かつ、
前記第１の領域の発光色と前記第３の領域の発光色とが、Ｐ型２色覚の色覚異常者及びＤ型２色覚の色覚異常者によって異色に観察されるように、前記第１の領域及び前記第３の領域が構成されている識別媒体。
【請求項２】
Ｐ型２色覚の色覚異常者とＤ型２色覚の色覚異常者とＴ型２色覚の色覚異常者とのいずれの者であっても識別可能な識別媒体であって、
第１の領域と、
前記第１の領域とは別の第２の領域と、
前記第２の領域の外形の少なくとも一部に沿う領域、及び、前記第２の領域に重なる領域、の少なくとも一方を含む第３の領域と、
を有し、
前記第１の領域と前記第２の領域と前記第３の領域とは、いずれも通常光下では無色又は同一色に観察され、励起光の照射により発光して観察される蛍光材料を含んでおり、
前記第１の領域と前記第２の領域と前記第３の領域とは、それぞれが異なる色で発光を行うように構成されており、
さらに、前記第１の領域と前記第２の領域と前記第３の領域とは、
前記第１の領域の発光色と前記第２の領域の発光色とが、Ｐ型２色覚の色覚異常者及びＤ型２色覚の色覚異常者によって異色に観察され、かつ、Ｔ型２色覚の色覚異常者によって同色に観察されるように前記第１の領域及び前記第２の領域が構成されており、
かつ、
前記第１の領域の発光色と前記第３の領域の発光色とが、Ｔ型２色覚の色覚異常者によって異色に観察されるように、前記第１の領域及び前記第３の領域が構成されている識別媒体。
【請求項３】
請求項１又は請求項２に記載の識別媒体において、
前記第１の領域と前記第２の領域と前記第３の領域とが発光する光の波長範囲を、ｘｙ色度図の表記方法で、
波長範囲ａ：−５６４ｎｍ以上−４９５ｎｍ以下に補色主波長の色相、
波長範囲ｂ：４００ｎｍ以上４９０ｎｍ未満に主波長の色相、
波長範囲ｃ：４９０ｎｍ以上５５０ｎｍ未満に主波長の色相、
波長範囲ｄ：５５０ｎｍ以上６００ｎｍ未満に主波長の色相、
波長範囲ｅ：６００ｎｍ以上７００ｎｍ未満に主波長の色相、
と分類したとき、前記第１の領域と前記第２の領域と前記第３の領域とが発光するときの発光色の組み合わせは、以下の組み合わせ１から組み合わせ３０までのいずれかの組み合わせであること、
を特徴とする識別媒体。
【表１】
2019102829.tif 000004
【発明の詳細な説明】
【技術分野】
【０００１】
本発明は、色覚異常者であっても表示内容を識別可能な識別媒体に関するものである。
【背景技術】
【０００２】
通常は異なる色であるとされている色であっても、色覚異常者にとっては、同一色に見えてしまう色がある。したがって、例えば、赤色と緑色とに色分けされた異なる領域を備えた印刷物であっても、色覚異常者にとっては、いずれも黄色に見えてしまうことがあった。このような点を改善する技術が特許文献１に開示されている。
【先行技術文献】
【特許文献】
【０００３】
【特許文献１】特許第６０１６１６４号公報
【発明の概要】
【発明が解決しようとする課題】
【０００４】
しかし、特許文献１の技術では、Ｐ型２色覚の色覚異常者、及び、Ｄ型２色覚の色覚異常者に対しては、改善された印刷物を提示できるものの、Ｔ型２色覚の色覚異常者に関しては、考慮されていなかった。また、特許文献１の技術では、色覚正常者、及び、色覚異常者の双方にとって認識可能であるが、セキュリティ要素が入っておらず、セキュリティ性が要求される分野では利用が難しかった。
【０００５】
本発明の課題は、色覚正常者及び色覚異常者の双方が、異なる表示領域を区別して認識可能であって、セキュリティ性も有する識別媒体を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、Ｐ型２色覚の色覚異常者とＤ型２色覚の色覚異常者とＴ型２色覚の色覚異常者とのいずれの者であっても識別可能な識別媒体（１０）であって、第１の領域（１）と、前記第１の領域（１）とは別の第２の領域（２）と、前記第２の領域（２）の外形の少なくとも一部に沿う領域、及び、前記第２の領域（２）に重なる領域、の少なくとも一方を含む第３の領域（３）と、を有し、前記第１の領域（１）と前記第２の領域（２）と前記第３の領域（３）とは、いずれも通常光下では無色又は同一色に観察され、励起光の照射により発光して観察される蛍光材料を含んでおり、前記第１の領域（１）と前記第２の領域（２）と前記第３の領域（３）とは、それぞれが異なる色で発光を行うように構成されており、さらに、前記第１の領域（１）と前記第２の領域（２）と前記第３の領域（３）とは、前記第１の領域（１）の発光色と前記第２の領域（２）の発光色とが、Ｐ型２色覚の色覚異常者及びＤ型２色覚の色覚異常者によって同色に観察され、かつ、Ｔ型２色覚の色覚異常者によって異色に観察されるように前記第１の領域（１）及び前記第２の領域（２）が構成されており、かつ、前記第１の領域（１）の発光色と前記第３の領域（３）の発光色とが、Ｐ型２色覚の色覚異常者及びＤ型２色覚の色覚異常者によって異色に観察されるように、前記第１の領域（１）及び前記第３の領域（３）が構成されている識別媒体（１０）である。
【０００８】
第２の発明は、Ｐ型２色覚の色覚異常者とＤ型２色覚の色覚異常者とＴ型２色覚の色覚異常者とのいずれの者であっても識別可能な識別媒体（１０）であって、第１の領域（１）と、前記第１の領域（１）とは別の第２の領域（２）と、前記第２の領域（２）の外形の少なくとも一部に沿う領域、及び、前記第２の領域（２）に重なる領域、の少なくとも一方を含む第３の領域（３）と、を有し、前記第１の領域（１）と前記第２の領域（２）と前記第３の領域（３）とは、いずれも通常光下では無色又は同一色に観察され、励起光の照射により発光して観察される蛍光材料を含んでおり、前記第１の領域（１）と前記第２の領域（２）と前記第３の領域（３）とは、それぞれが異なる色で発光を行うように構成されており、さらに、前記第１の領域（１）と前記第２の領域（２）と前記第３の領域（３）とは、前記第１の領域（１）の発光色と前記第２の領域（２）の発光色とが、Ｐ型２色覚の色覚異常者及びＤ型２色覚の色覚異常者によって異色に観察され、かつ、Ｔ型２色覚の色覚異常者によって同色に観察されるように前記第１の領域（１）及び前記第２の領域（２）が構成されており、かつ、前記第１の領域（１）の発光色と前記第３の領域（３）の発光色とが、Ｔ型２色覚の色覚異常者によって異色に観察されるように、前記第１の領域（１）及び前記第３の領域（３）が構成されている識別媒体（１０）である。
【０００９】
第３の発明は、第１の発明又は第２の発明に記載の識別媒体（１０）において、前記第１の領域（１）と前記第２の領域（２）と前記第３の領域（３）とが発光する光の波長範囲を、ｘｙ色度図の表記方法で、波長範囲ａ：−５６４ｎｍ以上−４９５ｎｍ以下に補色主波長の色相、波長範囲ｂ：４００ｎｍ以上４９０ｎｍ未満に主波長の色相、波長範囲ｃ：４９０ｎｍ以上５５０ｎｍ未満に主波長の色相、波長範囲ｄ：５５０ｎｍ以上６００ｎｍ未満に主波長の色相、波長範囲ｅ：６００ｎｍ以上７００ｎｍ未満に主波長の色相、と分類したとき、前記第１の領域（１）と前記第２の領域（２）と前記第３の領域（３）とが発光するときの発光色の組み合わせは、以下の組み合わせ１から組み合わせ３０までのいずれかの組み合わせであること、を特徴とする識別媒体（１０）である。
【表１】
2019102829.tif 000003
【発明の効果】
【００１０】
本発明によれば、色覚正常者及び色覚異常者の双方が、異なる表示領域を区別して認識可能であって、セキュリティ性も有する識別媒体を提供することができる。
【図面の簡単な説明】
【００１１】
【図１】本発明による識別媒体１０の第１実施形態を示す図である。
【図２】色覚異常者によって異なる色の見え方を説明する図である。
【図３】条件１又は条件２を満たすことができる波長範囲の組み合わせをまとめた図である。
【図４】各色覚異常者が各領域をどのように見えるのかをまとめて示す図である。
【図５】励起光を当てていない通常光下における識別媒体１０の見え方を示す図である。
【図６】Ｐ型及びＤ型の色覚異常者により観察される色を説明する図である。
【図７】Ｔ型の色覚異常者により観察される色を説明する図である。
【図８】本発明による識別媒体１０の第２実施形態を示す図である。
【図９】本発明による識別媒体１０の第３実施形態を示す図である。
【発明を実施するための形態】
【００１２】
以下、本発明を実施するための最良の形態について図面等を参照して説明する。
【００１３】
（第１実施形態）
図１は、本発明による識別媒体１０の第１実施形態を示す図である。図１は、励起光を照射した状態で色覚正常者が視認可能な状態で示している。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
本明細書において、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
なお、本明細書及び特許請求の範囲において規定する具体的な数値には、一般的な誤差範囲は含むものとして扱うべきものである。すなわち、±１０％程度の差異は、実質的には違いがないものであって、本件の数値範囲をわずかに超えた範囲に数値が設定されているものは、実質的には、本件発明の範囲内のものと解釈すべきである。
【００１４】
本実施形態の識別媒体１０は、券面１０ａ上に、通常印刷１０ｂと、第１の領域１と、第２の領域２と、第３の領域３とを備えた、商品券である。識別媒体１０自体は、例えば、紙で構成されていてもよいし、樹脂フィルムや樹脂シート等で構成されていてもよいし、樹脂板や金属板等で構成されていてもよい。ただし、漂白蛍光剤を含まない素材を用いることが望ましい。
【００１５】
通常印刷１０ｂは、通常のインキを用いて印刷されており、太陽光下や通常の照明光下で、視認可能な印刷である。本実施形態では、この通常印刷１０ｂについては、色覚異常者に対する特別な配慮は行っていないが、通常印刷１０ｂについても、公知の色覚異常者にとって見やすい印刷としてもよい。
図１に示す例では、通常印刷１０ｂは、「￥１，０００」という金額を示す表示と、「ＡＢＣ」という地紋とを例示したが、印刷される具体的な内容は、どのようなものであってもよい。
【００１６】
第１の領域１と、第２の領域２と、第３の領域３とは、いずれも通常光下では無色又は同一色に観察され、励起光の照射により発光して観察される蛍光材料を含んでいる。また、第１の領域１と、第２の領域２と、第３の領域３とは、それぞれが異なる色で発光を行うように構成されている。この発光色の組み合わせについては、後述する。
【００１７】
第１の領域１は、本実施形態では、券面１０ａの右上方に配置されている。第１の領域１は、券面１０ａの下方側に頂点を持ち、この頂点と対向する底辺が券面１０ａの上辺と平行な三角形形状に形成されている。
【００１８】
第２の領域２は、本実施形態では、券面１０ａの右下方に配置されている。第２の領域２は、券面１０ａの上方側に頂点を持ち、この頂点と対向する底辺が券面１０ａの下辺と平行な三角形形状に形成されている。また、第２の領域２の三角形の頂点と第１の領域１の三角形の頂点とが対向するように配置されている。
【００１９】
第３の領域３は、第２の領域２の三角形形状の周辺に一定の幅を持って形成された縁取り形状をした領域である。
【００２０】
ここで、第１の領域１と、第２の領域２と、第３の領域３との発光色を説明する前に、色覚異常者によって異なる色の見え方について説明する。
色覚異常者は、Ｐ型２色覚の色覚異常者と、Ｄ型２色覚の色覚異常者と、Ｔ型２色覚の色覚異常者とに分けることができる。
Ｐ型２色覚の色覚異常者は、赤色を感じるためのＬ錐体が正常に機能しない色覚障害を有しており、明細書中では、適宜、Ｐ型、Ｐ型の色覚異常者等と略し、図及び表中では、単に「Ｐ」と示したりする。
Ｄ型２色覚の色覚異常者は、緑色を感じるためのＭ錐体が正常に機能しない色覚障害を有しており、明細書中では、適宜、Ｄ型、Ｄ型の色覚異常者等と略し、図及び表中では、単に「Ｄ」と示したりする。
Ｔ型２色覚の色覚異常者は、青色を感じるためのＳ錐体が正常に機能しない色覚障害を有しており、明細書中では、適宜、Ｔ型、Ｔ型の色覚異常者等と略し、図及び表中では、単に「Ｔ」と示したりする。
【００２１】
図２は、色覚異常者によって異なる色の見え方を説明する図である。
光の波長範囲を、ｘｙ色度図の表記方法で、以下の５つの波長範囲に分ける。
波長範囲ａ：−５６４ｎｍ以上−４９５ｎｍ以下に補色主波長の色相。
波長範囲ｂ：４００ｎｍ以上４９０ｎｍ未満に主波長の色相を持つ波長範囲。
波長範囲ｃ：４９０ｎｍ以上５５０ｎｍ未満に主波長の色相を持つ波長範囲。
波長範囲ｄ：５５０ｎｍ以上６００ｎｍ未満に主波長の色相を持つ波長範囲。
波長範囲ｅ：６００ｎｍ以上７００ｎｍ未満に主波長の色相を持つ波長範囲。
【００２２】
また、図２中には、波長範囲毎に色覚正常者が見える色（図２中では、単に「色」と表示）と、色覚異常者における見え方とを示した。この図を見てわかるように、Ｐ型２色覚の色覚異常者及びＤ型２色覚の色覚異常者は、上記の波長範囲の分け方においては、見え方に差異がない。なお、厳密には、Ｐ型２色覚の色覚異常者とＤ型２色覚の色覚異常者とでは、上記の波長範囲の分け方においても、見え方の差異が生じていることもあり、その見え方には、個人差もある。しかし、以下に説明する本発明においては、図２に示した見え方であるものとして説明を行う。この図２に示した見え方で構成すれば、多少の見え方の違いがあっても、本発明の効果を十分に発揮できるからである。
【００２３】
図２に示した５つの波長範囲の中から、２つの波長範囲を組み合わせたとしても、Ｐ型、Ｄ型、Ｔ型の全ての色覚異常者が、その組み合わせを異なる色として認識できる組み合わせは、以下の４種類である。
波長範囲ａと波長範囲ｃとの組み合わせ。
波長範囲ａと波長範囲ｄとの組み合わせ。
波長範囲ｂと波長範囲ｄとの組み合わせ。
波長範囲ｂと波長範囲ｅとの組み合わせ。
よって、この異なる色として認識できる組み合わせを、適切に上述の第１の領域１から第３の領域３との発光色とすれば、Ｐ型、Ｄ型、Ｔ型の全ての色覚異常者が少なくとも第１の領域と第２の領域との２つの領域を区別可能な識別媒体１０とすることが可能である。
【００２４】
先ず、以下の２つの条件のいずれかを満たすように各領域の発光色を設定するとよい。この２つの条件のいずれかを満たせば、Ｐ型、Ｄ型、Ｔ型の全ての色覚異常者が少なくとも第１の領域と第２の領域との２つの領域を区別して認識可能である。
（条件１）
第１の領域１の発光色と第２の領域２の発光色とが、Ｐ型２色覚の色覚異常者及びＤ型２色覚の色覚異常者によって同色に観察され、かつ、Ｔ型２色覚の色覚異常者によって異色に観察されるように第１の領域１及び第２の領域２が構成されており、かつ、第１の領域１の発光色と第３の領域３の発光色とが、Ｐ型２色覚の色覚異常者及びＤ型２色覚の色覚異常者によって異色に観察されるように、第１の領域１及び第３の領域３が構成されている。
（条件２）
第１の領域１の発光色と第２の領域２の発光色とが、Ｐ型２色覚の色覚異常者及びＤ型２色覚の色覚異常者によって異色に観察され、かつ、Ｔ型２色覚の色覚異常者によって同色に観察されるように第１の領域１及び第２の領域２が構成されており、かつ、第１の領域１の発光色と第３の領域３の発光色とが、Ｔ型２色覚の色覚異常者によって異色に観察されるように、第１の領域１及び第３の領域３が構成されている。
【００２５】
図３は、条件１又は条件２を満たすことができる波長範囲の組み合わせをまとめた図である。
第１の領域１と第２の領域２と第３の領域３とが励起されて発光するときの発光色の組み合わせは、図３に示した組み合わせ１から組み合わせ３０までのいずれかの組み合わせとすれば、上記条件１又は条件２を満たすことができる。
【００２６】
上述の５つの波長範囲の作り分けは、各領域に印刷するインクに含まれる蛍光材料を変えることにより簡単に行える。
また、上記各蛍光材料を励起させて発光させるための励起光は、紫外光を発光するいわゆるブラックライトを利用して照射するとよい。
【００２７】
図４は、各色覚異常者が各領域をどのように見えるのかをまとめて示す図である。
図４中の、同色／異色の欄は、第１の領域１と第２の領域２とが同色に見えるか異色に見えるか、及び、第１の領域１と第３の領域３とが同色に見えるか異色に見えるか、を示している。
この図４に示すように、これら組み合わせ１から組み合わせ３０のいずれかの発光色の組み合わせとすれば、上記条件１又は条件２を満たすことができる。すなわち、Ｐ型、Ｄ型、Ｔ型の全ての色覚異常者が少なくとも第１の領域と第２の領域との２つの領域を区別可能である。
【００２８】
（具体例）
次に、上記組み合わせの中から、具体的な例を挙げて、本実施形態の識別媒体１０の見え方を説明する。
ここでは、組み合わせ２８を例として取り上げる。
この組み合わせ２８では、第１の領域１は、波長領域ｅの光、すなわち、色覚正常者には赤色に見える光を発光するように構成されている。
第２の領域２は、波長領域ｃの光、すなわち、色覚正常者には緑色に見える光を発光するように構成されている。
第３の領域３は、波長領域ｂの光、すなわち、色覚正常者には青色に見える光を発光するように構成されている。
【００２９】
図５は、励起光を当てていない通常光下における識別媒体１０の見え方を示す図である。なお、図５に示す見え方は、色覚正常者による見え方を想定して示しているが、通常印刷１０ｂの印刷色によって、色覚異常者による見え方は、図５と同様に見える場合と、異なって見える場合とがある。
励起光を当てていないので、第１の領域１、第２の領域２、第３の領域３のいずれも発光は行わず、透明であることから、通常印刷１０ｂのみが観察される。なお、通常印刷１０ｂの色覚異常者による見え方は、通常印刷１０ｂの印刷色によって異なるが、色覚異常者であっても、励起光を当てていなければ、第１の領域１、第２の領域２、第３の領域３のいずれも発光は行わず、透明であることから、これらの領域を視認することはできない。
【００３０】
励起光を当てると、色覚正常者には、図１に示したように観察される。図１中には、色覚正常者により観察される色を、赤を（Ｒ）、緑を（Ｇ）、青を（Ｂ）として各文字を各領域内に示している。すなわち、励起光を当てると、色覚正常者には、以下のように見える。
第１の領域１：赤色に見える。
第２の領域２：緑色に見える。
第３の領域３：青色に見える。
【００３１】
図６は、Ｐ型及びＤ型の色覚異常者により観察される色を説明する図である。
励起光を当てると、Ｐ型及びＤ型の色覚異常者には、図６に示したように観察される。図６中には、図１と同様に、Ｐ型及びＤ型の色覚異常者により観察される色を、青を（Ｂ）、黄を（Ｙ）として各文字を各領域内に示している。すなわち、励起光を当てると、Ｐ型及びＤ型の色覚異常者には、以下のように見える。
第１の領域１：黄色に見える。
第２の領域２：黄色に見える。
第３の領域３：青色に見える。
【００３２】
この図６の例では、Ｐ型及びＤ型の色覚異常者には、第１の領域１及び第２の領域２は、いずれも黄色で同じに見えてしまい、これらの領域だけでは、この２つの領域を区別することはできない。しかし、第３の領域３は、Ｐ型及びＤ型の色覚異常者には、青色に見える。この第３の領域３は、第２の領域２の三角形形状の周辺に一定の幅を持って形成されているので、Ｐ型及びＤ型の色覚異常者は、第１の領域１及び第２の領域２を区別して認識することができる。
【００３３】
図７は、Ｔ型の色覚異常者により観察される色を説明する図である。
励起光を当てると、Ｔ型の色覚異常者には、図７に示したように観察される。図７中には、図１と同様に、Ｔ型の色覚異常者により観察される色を、赤を（Ｒ）、緑を（Ｇ）として各文字を各領域内に示している。すなわち、励起光を当てると、Ｔ型の色覚異常者には、以下のように見える。
第１の領域１：赤色に見える。
第２の領域２：緑色に見える。
第３の領域３：緑色に見える。
【００３４】
この図７の例では、Ｔ型の色覚異常者には、第１の領域１は、赤色に見える。一方、第２の領域２及び第３の領域３は、Ｔ型の色覚異常者には、いずれも緑色に見える。よって、Ｔ型の色覚異常者は、第１の領域１及び第２の領域２を区別して認識することができる。
【００３５】
このように、組み合わせ２８の例では、先に説明した条件１を満たす組み合わせとなっている。他の組み合わせ（１から３０）であっても、この条件１、又は、条件２を満たすものとなっている（図４参照）。よって、いずれの組み合わせであっても、Ｐ型、Ｄ型、Ｔ型の全ての色覚異常者が少なくとも第１の領域と第２の領域との２つの領域を区別して認識可能である。
【００３６】
また、第１の領域１から第３の領域３は、いずれも通常光下では、視認されることがなく、励起光を照射することにより視認可能となる。よって、セキュリティ性を有し、例えば、真贋判定に利用することが可能である。しかも、真贋判定は、色覚正常者に限らず、色覚異常者であっても行うことが可能である。
【００３７】
以上説明したように、本実施形態によれば、第１の領域１と、第２の領域２と、第２の領域の外形に沿う領域を含む第３の領域３とを備え、各領域の励起発光時の発光色を、図３に示した組み合わせ１から組み合わせ３０の組み合わせとする。これにより、励起光を照射した場合にのみ、色覚正常者及び色覚異常者のいずれの者であっても、第１の領域１と第２の領域２とを区別して認識することができる。
【００３８】
（第２実施形態）
図８は、本発明による識別媒体１０の第２実施形態を示す図である。
なお、前述した第１実施形態と同様の機能を果たす部分には、同一の符号を付して、重複する説明を適宜省略する。
第２実施形態の識別媒体１０は、第１の領域１から第３の領域３を複数組配列している点で、第１実施形態と異なっている。
このように第１の領域１から第３の領域３を配置しても、第１実施形態と同様な作用及び効果を得ることができる。
【００３９】
（第３実施形態）
図９は、本発明による識別媒体１０の第３実施形態を示す図である。
第３実施形態の識別媒体１０では、第１の領域１と第２の領域２とは、間隔を空けて配置されている。
また、第３の領域３は、第２の領域２の周囲に沿って配置されており、マイクロ文字を構成している。
このように、第１の領域１と第２の領域２とは、離れて配置してもよい。また、第３の領域により文字等を表現してもよい。なお、第１の領域１及び第２の領域２についても、文字等を表現してもよい。
このように第１の領域１から第３の領域３を配置しても、第１実施形態と同様な作用及び効果を得ることができる。
【００４０】
（変形形態）
以上説明した実施形態に限定されることなく、種々の変形や変更が可能であって、それらも本発明の範囲内である。
【００４１】
（１）各実施形態において、識別媒体１０は、商品券である例を挙げて説明した。これに限らず、例えば、識別媒体は、商品券等の金券の他、学生証や社員証、又は、パスポート等の身分証明書であってもよいし、各種チケット類であってもよく、その用途はどのようなものであってもよい。
【００４２】
（２）各実施形態において、第３の領域３は、第２の領域２の周囲に沿って配置した例を挙げて説明した。これに限らず、例えば、第３の領域３は、第２の領域２に一部が重なって配置されていてもよい。
【００４３】
なお、各実施形態及び変形形態は、適宜組み合わせて用いることもできるが、詳細な説明は省略する。また、本発明は以上説明した各実施形態によって限定されることはない。
【符号の説明】
【００４４】
１    第１の領域
２    第２の領域
３    第３の領域
１０    識別媒体
１０ａ    券面
１０ｂ    通常印刷
【図１】
2019102829.tif 000005
【図２】
2019102829.tif 000006
【図３】
2019102829.tif 000007
【図４】
2019102829.tif 000008
【図５】
2019102829.tif 000009
【図６】
2019102829.tif 000010
【図７】
2019102829.tif 000011
【図８】
2019102829.tif 000012
【図９】
2019102829.tif 000013